(57)【要約】【課題】スピーカーを基板に直接取り付けるて製造工程数を軽減でき、従来スピーカーのコネクタの差し忘れ等の組み立て作業上の問題が生じることがなく、生産台数の効率化を実現できるスピーカの基板への取付構造を提供する。【解決手段】基板１上の割り基板を取り除いた間隙のスペース１ａに、スピーカー２を上面３ａに取付け四方縁が上向きに内側に傾斜したテーパ面３ｂとテーパー面３ｂに基板１嵌め入れ用の溝部３ｃを形成した固定ユニット３を下側から嵌め込み、基板１の間隙スペース１ａからなる開孔部の孔縁１ｂを固定ユニット３のテーパ面３ｂの溝部３ｃに嵌め込んで固定ユニット３を基板１に取付固定してスピーカー２を基板１に取付固定し、スピーカー２の配線４を基板１に半田付けし、固定ユニット３の下面に、固定ユニット３の音声出力用の貫通穴の縁部近傍箇所に音声の流れをガイドするガイド板５が取付けられているものである。【選択図】　図３
2004048612.tif 000002
【特許請求の範囲】
【請求項１】
基板上の割り基板を取り除いた間隙のスペースに、スピーカーが上面に取付けられ四方縁が上向きに内側に傾斜したテーパ面とこのテーパー面に基板嵌め入れ用の溝部が形成された固定ユニットが下側から嵌め込まれて、基板の間隙スペースからなる開孔部の孔縁が前記固定ユニットのテーパ面の溝部に嵌め込まれて固定ユニットが基板に取付固定されることによって、前記スピーカーが前記基板に取付固定され、前記スピーカの配線が前記基板に半田付けされて、更に、前記固定ユニットの下面には、固定ユニットに形成された音声出力用の貫通穴の縁部近傍箇所に音声の流れをガイドするガイド板が取付けられていることを特徴とするスピーカーの基板への取付構造。
【請求項２】
基板上の割り基板を取り除いた間隙のスペースに、スピーカーが上面に取付けられた固定ユニットを嵌め込んで取付けることによって、前記スピーカーが前記基板に取付固定され、前記スピーカの配線が前記基板に半田付けされるようにしたことを特徴とするスピーカーの基板への取付構造。
【請求項３】
前記固定ユニットの周縁は、上側が内向きに傾斜したテーパ面に形成され、このテーパ面に前記基板の間隙スペースからなる開孔部の孔縁がはまり込む溝部が形成されていて、前記固定ユニットがその周縁のテーパ面で前記基板の開孔部に強制的に押し入れられ、このテーパ面の前記溝部に前記基板の開孔部の孔縁が嵌め入れられてこの固定ユニットが取付けられることによって、前記スピーカーが基板に取付固定されるようにしたことを特徴とする請求項２に記載のスピーカーの基板への取付構造。
【請求項４】
前記固定ユニットの上面には、前記スピーカーの周縁が係入されて係止固定される内向き爪を有する複数のフックが立設されていることを特徴とする請求項２又は３に記載のスピーカーの基板への取付構造。
【請求項５】
前記固定ユニットの周縁のテーパ面には、一方側が下側で他方側が上側に位置する溝部が形成されて、この固定ユニットを前記基板の開孔部に嵌め込んで取付けた状態が斜め向きに傾いた状態となり、この傾いた状態で、前記固定ユニットを前記基板が配設される筐体の音声出口側が上向きに開いた状態で前記基板に取り付けられるようにしたことを特徴とする請求項３又は４に記載のスピーカーの基板への取付構造。
【発明の詳細な説明】
【０００１】
【発明の属する技術分野】
本発明は、スピーカーの基板への取付構造の改良に関する。
【０００２】
【従来の技術】
従来のスピーカーの取付構造は、例えば、図８に示すように、スピーカー本体１０１をフロントキャビネット１０２の底部に取付固定して、このスピーカー本体１０１からの配線１０３の先端のコネクタ１０４を別体である基板（図示略）に設けられたコネクタピンに差し込んで接続するようにしていた。
ところが、このような構造であると、フロントキャビネット１０２やＣＲＴ１０５を組み立てるときに、スピーカー１０１のコネクタ１０４を基板のコネクタピンに差し込むことを忘れてしまうことがある等の組み立て作業上の問題が多発していた。
【０００３】
また、実開昭６２−１８０９８７号公報には、報知器の固定構造が記載されている。
これは、図９（ａ）（ｂ）に示すように、基板２０１に複数の切欠き部２０１ｄおよび穴部２０１ｂを設け、固定部材２０３側には切欠き部２０１ｄに挿嵌するための突起部２０３ａを設け、基板２０１と固定部材２０３の間に報知器２０２をはさんで固定するものである。
ところが、これにおいては、基板２０１に設けた音声出力用の円穴２０４が割り基板の残スペースであったとしても、穴部２０１ｂを設けるためのスペースを基板上に必要とするという問題があった。
【０００４】
また、特開平１０−１７８６９８号公報には、スピーカーの入力端子の接続構造が記載されている。
これは、図１０に示すように、スピーカー３１０の入力端子３１１に、先端に開口部３２１を形成した導電性の接続用板材３２０を固着し、プリント基板３３０には、導電性のスプリング部材３４０の基端部３４１が半田付けられ、このスプリング部材３４０は、基端部３４１からスピーカー３１０に向けて腕状部３４２が延設され、この腕状部３４２の前部３４３が上向きに屈曲されており、スプリング部材３４０の上向き部分の先端部３４５を山なり状に下向き曲成して、その頂部３４６を接続用板材３２０の開口部３２１に嵌め入れ、スプリング部材３４０の弾性復帰力によって、弾性接触状態で接続用板材３２０にスプリング部材３４０を接続するようにしたものである。
ところが、これは、スピーカー３１０の入力端子３１１の接続構造であってスピーカー本体自身を基板に固定するものではなかった。
【０００５】
また、実開昭６１−９７２９０号公報には、フランジを有する電気部品の回路基板への装着構造体が記載されている。
これは、図１１（ａ）（ｂ）（ｃ）に示すように、弾性を有する材料で形成され一部を欠除した環状体４１２であり、その内側面に環に沿って全内周に亘って設けられた溝４１３と、環状体４１２の欠除両端部と中間部とに環平面から突出し取付け回路基板４０１に設けられた係止孔４１６に挿入される係止突起４１４とを有するものである。
ところが、これにおいては、回路基板４０１に設けられた係止孔４１６は、捨て基板の残スペースを利用したものではないので、基板上に複数の係止孔４１６を設けるためのスペースを必要とするという問題があった。
【０００６】
【発明が解決しようとする課題】
本発明は、上記従来の問題を解消し、スピーカーを基板に直接取り付けることによって製造工程数を軽減でき、且つ従来生じていたスピーカーのコネクタの差し忘れ等の多発していた組み立て作業上の問題が生じることがなく、生産台数の効率化を実現することができるスピーカの基板への取付構造を提供することを目的としている。
【０００７】
【課題を解決するための手段】
本発明は、上記課題を解決するために提案されたものであって、請求項１に記載の発明は、基板上の割り基板を取り除いた間隙のスペースに、スピーカーが上面に取付けられ四方縁が上向きに内側に傾斜したテーパ面とこのテーパー面に基板嵌め入れ用の溝部が形成された固定ユニットが下側から嵌め込まれて、基板の間隙スペースからなる開孔部の孔縁が前記固定ユニットのテーパ面の溝部に嵌め込まれて固定ユニットが基板に取付固定されることによって、前記スピーカーが前記基板に取付固定され、前記スピーカの配線が前記基板に半田付けされて、更に、前記固定ユニットの下面には、固定ユニットに形成された音声出力用の貫通穴の縁部近傍箇所に音声の流れをガイドするガイド板が取付けられていることを特徴としている。
【０００８】
請求項２に記載の発明は、基板上の割り基板を取り除いた間隙のスペースに、スピーカーが上面に取付けられた固定ユニットを嵌め込んで取付けることによって、前記スピーカーを前記基板に取付固定され、前記スピーカの配線が前記基板に半田付けされるようにしたことを特徴としている。
請求項３に記載の発明は、前記固定ユニットの周縁は、上側が内向きに傾斜したテーパ面に形成され、このテーパ面に前記基板の間隙スペースからなる開孔部の孔縁がはまり込む溝部が形成されていて、前記固定ユニットがその周縁のテーパ面で前記基板の開孔部に強制的に押し入れられ、このテーパ面の前記溝部に前記基板の開孔部の孔縁が嵌め入れられてこの固定ユニットが取付けられることによって、前記スピーカーが基板に取付固定されるようにしたことを特徴としている。
【０００９】
請求項４に記載の発明は、前記固定ユニットの上面には、前記スピーカーの周縁が係入されて係止固定される内向き爪を有する複数のフックが立設されていることを特徴としている。
請求項５に記載の発明は、前記固定ユニットの周縁のテーパ面には、一方側が下側で他方側が上側に位置する溝部が形成されて、この固定ユニットを前記基板の開孔部に嵌め込んで取付けた状態が斜め向きに傾いた状態となり、この傾いた状態で、前記固定ユニットを前記基板が配設される筐体の音声出口側が上向きに開いた状態で前記基板に取り付けられるようにしたことを特徴としている。
【００１０】
【発明の実施の形態】
以下、本発明に係るスピーカの基板への取付構造の実施の形態について、図を参照しつつ説明する。
図１は本発明の第１実施形態のスピーカーの基板への取付構造を示す分解斜視図、図２は同構造の組み立て前の一部断面正面図、図３は同構造の組み立て完了時の一部断面正面図である。
【００１１】
この第１実施形態のスピーカーの基板への取付構造は、図１、図２、図３に示すように、基板１上の割り基板を取り除いた間隙のスペース１ａに、スピーカー２が上面３ａに取付けられ四方縁が上向きに内側に傾斜したテーパ面３ｂとこのテーパ面３ｂに基板嵌め入れ用の溝部３ｃが形成された固定ユニット３が下側から嵌め込まれて、基板１の間隙スペース１ａからなる開孔部の孔縁１ｂが固定ユニット３のテーパ面３ｂの溝部３ｃに嵌め込まれて固定ユニット３が基板１に取付固定されることによって、スピーカー２が基板１に取付固定されるようになっている。また、固定ユニット３の下面には、固定ユニット３に形成された音声出力用の貫通穴３ｅの縁部近傍箇所に音声の流れをガイドするガイド板５が取付けられている。更に、スピーカー２の配線４が固定ユニット３に穿設された縦穴３ｄとガイド板５に穿設された貫通孔５ａに通されて基板１の下面に半田付けされるようになっている。
【００１２】
この第１実施形態のスピーカーの基板への取付構造によれば、スピーカー２を固定ユニット３を介して基板１に確実且つ安定して取付固定することができ、また、固定ユニット２にはその四方縁にテーパ面３ｂが形成されているので、この固定ユニット３を基板１の間隙スペース１ａに下側からスムーズに嵌め込むことができる。
更に、スピーカー２を基板１に固定ユニット３を介して直接取り付けることによって製造工程数を軽減でき、且つ従来生じていたスピーカー２のコネクタの差し忘れ等の多発していた組み立て作業上の問題が生じることがなく、生産台数の効率化を実現することができる。
また、固定ユニット３の下面には、ガイド板５が取付けられているので、スピーカー２から発生した音声をこのガイド板５によって横方向に漏れることなく良好にガイドすることができる。
【００１３】
図４は第２実施形態のスピーカーの基板への取付構造を示す組み立て前の分解状態の一部断面正面図、図５は同構造の組み立て途中の一部断面正面図、図６は同構造の組み立て完了時の一部断面正面図である。尚、上記した第１実施形態における同一部材、同一箇所には同一符号を付して、その説明を省略する。
この第２実施形態のスピーカーの基板への取付構造は、図４、図５、図６に示すように、固定ユニット３の上面には、スピーカー２の周縁２ａが係入されて係止固定される内向き爪６ａを有する複数のフック６が立設されている。
【００１４】
この第２実施形態のスピーカーの基板への取付構造によれば、スピーカー２の周縁を固定ユニット３の上面３ａの複数のフック６に係入係止するだけで、固定ユニット３にスピーカー２を簡単に取付けることができ、また、スピーカー２を固定ユニット３から簡単に取り外すことができて、スピーカーのメンテナンスを容易に行うことができる。
【００１５】
図７は第３実施形態のスピーカーの基板への取付構造におけるスピーカーを取り付けた基板をキャビネット内に配置した状態を示す一部断面正面図である。尚、上記した第１実施形態における同一部材、同一箇所には同一符号を付して、その説明を省略する。
この第３実施形態のスピーカーの基板への取付構造は、図７に示すように、固定ユニット３の周縁のテーパ面３ｂには、一方側が下側で他方側が上側に位置する溝部３ｆ、３ｇが形成されている。
【００１６】
そして、この固定ユニット３を基板１の間隙スペース１ａからなる開孔部に嵌め込んで取付けると固定ユニット３が斜め向きに傾いた状態となり、固定ユニット３はこのように傾いた状態で基板１に取付けられるようになっている。更に、基板１をキャビネット７に水平向きに配置すると、キャビネット７に穿設された音声出口７ａから、音声を他方向に逃げて漏れることなく外部に出すことができるようになっている。
この第３実施形態のスピーカーの基板への取付構造によれば、スピーカー２が取り付けられた固定ユニット３を基板１に傾いた状態で取り付けることによって、キャビネット７内に基板１を配置したときに、スピーカー２から発生した音声を効率良くキャビネット７の音声出口７ａから外部に出すことができる。
【００１７】
【発明の効果】
以上説明したように、請求項１に記載の発明は、基板上の割り基板を取り除いた間隙のスペースに、スピーカーが上面に取付けられ四方縁が上向きに内側に傾斜したテーパ面とこのテーパー面に基板嵌め入れ用の溝部が形成された固定ユニットが下側から嵌め込まれて、基板の間隙スペースからなる開孔部の孔縁が固定ユニットのテーパ面の溝部に嵌め込まれて固定ユニットが基板に取付固定されることによって、スピーカーが基板に取付固定され、スピーカの配線が基板に半田付けされて、更に、固定ユニットの下面には、固定ユニットに形成された音声出力用の貫通穴の縁部近傍箇所に音声の流れをガイドするガイド板が取付けられているので、以下に述べる効果を奏する。
【００１８】
即ち、スピーカーを固定ユニットを介して基板に確実且つ安定して取付固定することができ、また、固定ユニットにはその四方縁にテーパ面が形成されているので、この固定ユニットを基板の間隙スペースに下側からスムーズに嵌め込むことができる。
更に、スピーカーを基板に固定ユニットを介して直接取り付けることによって製造工程数を軽減でき、且つ従来生じていたスピーカーのコネクタの差し忘れ等の多発していた組み立て作業上の問題が生じることがなく、生産台数の効率化を実現することができる。
また、固定ユニットの下面には、ガイド板が取付けられているので、スピーカーから発生した音声をこのガイド板によって横方向に漏れることなく良好にガイドすることができる。
【００１９】
請求項２に記載の発明は、基板上の割り基板を取り除いた間隙のスペースに、スピーカーが上面に取付けられた固定ユニットを嵌め込んで取付けることによって、スピーカーを基板に取付固定され、スピーカの配線が基板に半田付けされるようにしたので、以下に述べる効果を奏する。
即ち、スピーカーを基板に直接取り付けることによって製造工程数を軽減でき、且つ従来生じていたスピーカーのコネクタの差し忘れ等の多発していた組み立て作業上の問題が生じることがなく、生産台数の効率化を実現することができる。
【００２０】
請求項３に記載の発明は、固定ユニットの周縁は、上側が内向きに傾斜したテーパ面に形成され、このテーパ面に基板の間隙スペースからなる開孔部の孔縁がはまり込む溝部が形成されていて、固定ユニットがその周縁のテーパ面で基板の開孔部に強制的に押し入れられ、このテーパ面の溝部に基板の開孔部の孔縁が嵌め入れられてこの固定ユニットが取付けられることによって、スピーカーが基板に取付固定されるようにしたので、この固定ユニットを基板の間隙スペースに下側からスムーズに嵌め込んで取付固定することができる。
【００２１】
請求項４に記載の発明は、固定ユニットの上面には、スピーカーの周縁が係入されて係止固定される内向き爪を有する複数のフックが立設されているので、スピーカーの周縁を固定ユニットの上面の複数のフックに係入係止するだけで、固定ユニットにスピーカーを簡単に取付けることができ、また、スピーカーを固定ユニットから簡単に取り外すことができて、スピーカーのメンテナンスを容易に行うことができる。
【００２２】
請求項５に記載の発明は、固定ユニットの周縁のテーパ面には、一方側が下側で他方側が上側に位置する溝部が形成されて、この固定ユニットを基板の開孔部に嵌め込んで取付けた状態が斜め向きに傾いた状態となり、この傾いた状態で、固定ユニットを基板が配設される筐体の音声出口側が上向きに開いた状態で基板に取り付けられるようにしたので、スピーカーが取り付けられた固定ユニットを基板１に傾いた状態で取り付けることによって、筐体内に基板を配置したときに、スピーカーから発生した音声を効率良く筐体の音声出口から外部に出すことができる。
【図面の簡単な説明】
【図１】本発明の第１実施形態のスピーカーの基板への取付構造を示す分解斜視図である。
【図２】同構造の組み立て前の一部断面正面図である。
【図３】同構造の組み立て完了時の一部断面正面図である。
【図４】第２実施形態のスピーカーの基板への取付構造を示す組み立て前の分解状態の一部断面正面図である。
【図５】同構造の組み立て途中の一部断面正面図である。
【図６】同構造の組み立て完了時の一部断面正面図である。
【図７】第３実施形態のスピーカーの基板への取付構造におけるスピーカーを取り付けた基板をキャビネット内に配置した状態を示す一部断面正面図である。
【図８】従来のスピーカーの取付構造を示す斜視図である。
【図９】従来の報知機の固定構造を示し、（ａ）はその分解斜視図、（ｂ）はその組み立て完了状態を示す断面図である。
【図１０】従来のスピーカーの入力端子の接続構造を示す斜視図である。
【図１１】従来のフランジを有する電気部品の回路基板への装着構造体を示し、（ａ）はその分解斜視図、（ｂ）はその電気部品例を示す斜視図、（ｃ）はその装着状態を示す側断面図である。
【符号の説明】
１　　　　　基板
１ａ　　　　スペース
１ｂ　　　　孔縁
２　　　　　スピーカー
２ａ　　　　周縁
３　　　　　固定ユニット
３ａ　　　　上面
３ｂ　　　　テーパ面
３ｃ　　　　溝部
３ｆ、３ｇ　溝部
４　　　　　配線
５　　　　　ガイド板
６　　　　　フック
６ａ　　　　内向き爪
７　　　　　キャビネット（筐体）
【図１】
2004048612.tif 000003
【図２】
2004048612.tif 000004
【図３】
2004048612.tif 000005
【図４】
2004048612.tif 000006
【図５】
2004048612.tif 000007
【図６】
2004048612.tif 000008
【図７】
2004048612.tif 000009
【図８】
2004048612.tif 000010
【図９】
2004048612.tif 000011
【図１０】
2004048612.tif 000012
【図１１】
2004048612.tif 000013